(57)【要約】【課題】火山灰にセメントや硬貨剤を混練して固化させた火山石と、これによる防草施工法に係わり、大小様々な火山灰石により水はけと防草効果に優れた新規な防草施工法の技術に関する。【解決手段】火山灰１にセメント２や硬貨剤２Ａを混練して固化させた火山灰石Ｋは、上記火山灰石の外径を約０．１Ｃｍ〜約１０Ｃｍの範囲に粉砕・混在した状態とし、花壇Ｐ１や高速道路の中央分離帯Ｐ２や公園の緑地帯Ｐ３における雑草の生育を防止したい箇所に敷設する。【選択図】図１
2019110888.tif 000002
【特許請求の範囲】
【請求項１】
火山灰にセメントや硬貨剤を混練して固化させる火山灰石において、上記火山灰石を固化するとともに外径を約０．１Ｃｍ〜約１０Ｃｍの範囲に粉砕手段で粉砕・混在した状態としたことを特徴とする火山灰石。
【請求項２】
請求項１の火山灰石において、花壇や高速道路の中央分離帯や公園の緑地帯における雑草の生育を防止したい箇所に、上記火山灰石の外径を約０．１Ｃｍ〜約１０Ｃｍの範囲に粉砕・混在した状態に固化させた火山灰石を任意の堆積高さに敷設させることを特徴とする火山灰石による防草施工法。
【請求項３】
請求項２の火山灰石による防草施工法において、雑草の生育を防止したい箇所に敷設した火山灰石は、散水又は降雨により外径が約０．１Ｃｍの小さな火山灰石が底部に、火山灰石の外径が徐々に大きくなるに従って約１０Ｃｍの火山灰石が最上部に階層的に移動堆積されることを特徴とする火山灰石による防草施工法。
【発明の詳細な説明】
【技術分野】
【０００１】  本発明は、例えば、火山灰にセメントや硬貨剤を混練して大小様々な石径からなる固化させた火山灰石と、この火山灰石による防草施工法に係わり、特に、大小様々な石径からなる火山灰石により水はけと防草効果に優れた新規な防草施工法の技術に関する。
【背景技術】
【０００２】  近年、日本国内において、火山噴火によって発生する多量の火山灰の処理とこの利用法が課題となっている。火山灰を固化体にするには、セメントで固める方法、シリカ化合物やホウ素化合物などと混合する方法が一般的に知られている。【０００３】  更に、進歩的な火山灰を固化体する方法には、火山灰を低エネルギーで簡便に大量処理して固化する方法に、火山灰のみを原料とし、これを８０℃以下の温度で硬化させる。即ち、硬化剤としてアルカリ水溶液を用いて火山灰を硬化させるものである（例えば、特許文献１参照。）。【０００４】  次の文献は、火山灰を利用したコンクリートブロックに係わり、火山灰、砂利等の骨材、セメントを混合し、成形して歩車道境界用のブロックである（例えば、特許文献２参照。）。【０００５】  更に、火山灰を利用したブロック、充填固化材及びその製造方法がある。即ち、火山灰、スラグ、及びセメントを混合し、平板上に成形してブロックとし、火山灰、及びセメントを混合して充填固化材とするものである（例えば、特許文献３参照。）。【０００６】  更に、防草対策として知られている防草手段は、多くの防草防止用マットが知られている。その一例は、黄麻繊維を原料とするヘシアンクロスを基布３とし、この基布３に黄麻繊維の集合体を載せ、その上から多数の針で何回も突くことにより黄麻繊維を空隙率の高いフェルト状に絡み合わせ、かつ、黄麻繊維と基布３とを係着させて、防草マット１のマット本体２を形成する。マット本体２の裏面に、黒色のウレタン樹脂塗料をスプレー法により適量吹き付けてマット本体２に浸透させ、裏面から約１ｍｍ厚さの黒色の遮光層４を形成すものである（例えば、特許文献４参照。）。【０００７】
【特許文献１】特開２０１３−１５５０７７号公報
【特許文献２】特開２００２−２４２１０７号公報
【特許文献３】特開２００２−２０１０５５号公報
【特許文献４】実開平０７−０２３０２１号公報
【発明の開示】
【発明が解決しようとする課題】
【０００８】  上記特許文献１の特開２０１３−１５５０７７号公報は、火山灰を低エネルギーで簡便に大量処理して固化する方法であるが、火山灰石の大きさが任意に選択して固化出来ていない。従って、火山灰石の粒径（外径が定まらず）の種別により、その用途の使い分けが出来難いと言う問題がある。【０００９】  また、特許文献２の特開２００２−２４２１０７号公報は、火山灰を利用したコンクリートブロックに係わるから、火山灰はその粒径の種別は問題にせず、砂利や砂の感覚でセメントと混練して型に嵌めて固化させてなる。従って、大小様々な火山灰石が製造され難く、水はけと防草効果に優れた新規な防草施工法には適用できないという問題点を有している。【００１０】  更に、特許文献３の特開２００２−２０１０５５号公報は、火山灰を利用したブロック、充填固化材及びその製造方法であり、特許文献４の実開平０７−０２３０２１号は、黄麻繊維を原料とするヘシアンクロスを基布３としたものであり、大小様々な火山灰石により水はけと防草効果に優れた防草施工法に係る発明ではない。【００１１】  本発明は、代表的な上記４つの公知文献における問題点に鑑みてなされたものである。その目的は、大小様々な外径（粒径）からなる火山灰石の製法と、この火山灰石により、水はけと防草効果に優れた火山灰石とこの火山灰石による防草施工法の開発に成功した。
即ち、花壇や高速道路の中央分離帯や公園の緑地帯における雑草の生育を防止したい箇所に上記火山灰石の外径を約０．１Ｃｍ〜約１０Ｃｍの範囲に混在した状態で固化させた火山灰石を敷設させると、散水又は降雨により外径が約０．１Ｃｍからの小さな火山灰石が底部に、外径が徐々に大きくなる約１０Ｃｍの火山灰石が上部に階層的に積層変化し、雑草の生育を食い止める環境が生成される。
【課題を解決するための手段】
【００１２】  上記目的を達成すべく、本発明の請求項１による石灰石は、火山灰にセメントや硬貨剤を混練して固化させる火山灰石において、上記火山灰石を固化するとともに外径を約０．１Ｃｍ〜約１０Ｃｍの範囲に粉砕手段で粉砕・混在した状態としたことを特徴とする。【００１３】  また、本発明の請求項２火山灰石による防草施工法は、請求項１の火山灰石において、花壇や高速道路の中央分離帯や公園の緑地帯における雑草の生育を防止したい箇所に、上記火山灰石の外径を約０．１Ｃｍ〜約１０Ｃｍの範囲に粉砕・混在した状態に固化させた火山灰石を任意の堆積高さに敷設させることを特徴とする。【００１４】  また、本発明の請求項３の火山灰石による防草施工法は、請求項２の火山灰石による防草施工法において、雑草の生育を防止したい箇所に敷設した火山灰石は、散水又は降雨により外径が約０．１Ｃｍの小さな火山灰石が底部に、火山灰石の外径が徐々に大きくなるに従って約１０Ｃｍの火山灰石が最上部に階層的に移動堆積されることを特徴とする。
【発明の効果】
【００１５】  本発明の請求項１の火山灰石によると、大量に発生する火山灰は、この火山灰にセメントや硬貨剤を混練して固化させた火山灰石において、火山灰石を固化させるとともに外径を約０．１Ｃｍ〜約１０Ｃｍの範囲に粉砕混在した状態としたから、あらゆる用途に使用可能となる。例えば、植木鉢の底に敷く吸水石乃至吸水砂として。花壇や高速道路の中央分離帯や公園の緑地帯における雑草の生育を防止したい箇所に敷きしめて、水はけと防草効果の他、乾燥した冬場での北風による砂埃の巻き上げ防止効果等を発揮する火山灰石が得られる。【００１６】  上記請求項１の火山灰石を利用した請求項２と３による防草施工法によると、花壇や高速道路の中央分離帯や公園の緑地帯における雑草の生育を防止したい箇所に、外径を約０．１Ｃｍ〜約１０Ｃｍの範囲に粉砕混在した火山灰石を無造作に敷き占めるだけで、降雨時の水はけ効果と防草効果が得られる他、乾燥した冬場での北風による砂埃の巻き上げ防止効果が得られる。
【図面の簡単な説明】
【００１７】
【図１】  本発明の第１実施形態を示し、火山灰石の製造装置の構成図である。
【図２】  本発明の第１実施形態を示し、火山灰石の製造工程図である。
【図３】  本発明の第２実施形態を示し、火山灰石による防草施工法の敷設図である。
【図４】  本発明の第２実施形態を示し、火山灰石による防草施工法による作用断面図である。
【発明を実施するための形態】
【００１８】  以下、図１〜図４を参照して本発明の火山灰石の製法と火山灰石による防草施工法を説明する。図１は火山灰石の製法を示す構成図、図２はその製造工程図、図３は火山灰石による防草施工法の敷設図、図４はその作用図である。
【００１９】  先ず、本発明の第１実施の形態の火山灰石Ｋは、図１に示すように、火山灰１にセメント２や硬貨剤２Ａを混練して固化させる火山灰石Ｋであって、この火山灰石を固化するとともに外径を約０．１Ｃｍ〜約１０Ｃｍの範囲に粉砕・混在した状態としたものである。より具体的な構成は、攪拌手段１０の各ホッパ１１、１２、１３には、火山灰１とセメント２と水３とが適度の混合割合のもとに混練される。この混練物Ｋ０は固化手段２０内で適度の塊として固化される。続いて、粉砕手段３０により火山灰石Ｋの混練物Ｋ０は、約０．１Ｃｍ〜約１０Ｃｍの範囲に粉砕・混在した状態に処理される。上記火山灰石Ｋの混練物Ｋ０は、ふるい手段４０により、概ね、０．１Ｃｍ〜０．５Ｃｍ。０．５Ｃｍ〜０．１Ｃｍ。１Ｃｍ〜５Ｃｍ。５Ｃｍ〜１０Ｃｍ。上記のように概ね４種類の直径の塊混練物Ｋ１〜Ｋ４に分別される。上記製造手順を工程で表示すると、図２において、混合工程Ａと固化工程Ｂと粉砕工程Ｃとふるい工程Ｄとからなる。
【００２０】  本発明の第１実施の形態の火山灰石１０は、上記のように構成されており、以下のような作用と効果が得られる。先ず、大量に発生する火山灰１は、この火山灰１にセメント２や硬貨剤２Ａと水３を混練した火山灰石Ｋの原料とする。上記火山灰石Ｋを固化させるとともに外径を約０．１Ｃｍ〜約１０Ｃｍの範囲に粉砕混在する。概ね、Ｋ１＝０．１Ｃｍ〜０．５Ｃｍ。Ｋ２＝０．５Ｃｍ〜０．１Ｃｍ。Ｋ３＝１Ｃｍ〜５Ｃｍ。Ｋ４＝５Ｃｍ〜１０Ｃｍの４種類の直径の塊混練物Ｋ１〜Ｋ４に分別した状態としたから、あらゆる用途に応じた外径の火山灰石Ｋ塊混練物（Ｋ１〜Ｋ４）となる。例えば、植木鉢の底に敷く吸水石乃至吸水砂として。花壇や高速道路の中央分離帯や公園の緑地帯における雑草の生育を防止したい箇所に敷きしめて、水はけと防草効果の他、乾燥した冬場での北風による砂埃の巻き上げ防止効果等を発揮する。
【００２１】  続いて、図３と図４により、火山灰石Ｋの塊混練物（Ｋ１〜Ｋ４）による防草施工法を説明する。火山灰石Ｋの塊混練物（Ｋ１〜Ｋ４）において、図３に示すように、花壇Ｐ１や高速道路の中央分離帯Ｐ２や公園の緑地帯Ｐ３に植えられた樹木Ｔの周辺における雑草の生育を防止したい箇所に、上記火山灰石Ｋの塊混練物（Ｋ１〜Ｋ４）の外径を約０．１Ｃｍ〜約１０Ｃｍの範囲に粉砕・混在した状態に固化させた火山灰石Ｋを任意の混合比と堆積高さｈ（例えば、１０〜２０Ｃｍ）に敷設させてなる。
【００２２】  本発明の火山灰石による防草施工法は、上記のように、構成されており、以下のように作用と効果が得られる。先ず、図４（ａ）に示すように、雑草の生育を防止したい箇所Ｐ１又はＰ２又はＰ３に敷設した火山灰石Ｋの塊混練物（Ｋ１〜Ｋ４）は、散水Ｗ又は降雨Ｗにより外径が約０．１Ｃｍの小さな火山灰石Ｋ１からＫ２、Ｋ３へと底部に進んで移動して流れ落ちる。これは、図４（ｂ）に示すように、火山灰石Ｋの外径がＫ２、Ｋ３、Ｋ４と徐々に大きくなるに従って底部に移動できず、約１０Ｃｍの火山灰石Ｋ４が最上部に多く留まって階層的に堆積される。
【００２３】  しかして、雑草の生育を防止したい花壇Ｐ１や高速道路の中央分離帯Ｐ２や公園の緑地帯Ｐ３に埋立した火山灰石Ｋは、約０．１Ｃｍの小さな火山灰石Ｋ１からＫ２、Ｋ３へと底部に進んで移動して流れ落ち、最上部に約１０Ｃｍの火山灰石Ｋ４だけが残って階層的に堆積されるから、底部の土は太陽光と水分が遮断されて雑草の育成条件が消滅され、長期間に渡り雑草の育成が完全に防止される。
しかして、花壇Ｐ１や高速道路の中央分離帯Ｐ２や公園の緑地帯Ｐ３における雑草の生育を防止したい箇所に敷き、水はけと防草効果により美的環境が維持され、雑草処理管理も低減される他、乾燥した冬場での北風による砂埃の巻き上げ防止効果等を発揮する火山灰石が得られる。
【産業上の利用可能性】
【００２４】  本発明の火山灰石とこれによる防草施工法は、その対象物を花壇や高速道路の中央分離帯や公園の緑地帯における雑草の生育を防止したい箇所に限定されず、舗装していない泥濘の未舗装の道路、家畜の畜舎内での床面他の乾燥維持にも適用可能である。
【符号の説明】
【００２５】１      火山灰
２      セメント
３      水
１０    攪拌手段
１１、１２、１３  ホッパ
２０    固化手段
３０    粉砕手段
４０    ふるい手段
Ｋ      火山灰石
Ｋ０    混練物
Ｋ１〜Ｋ４  塊混練物
Ａ      混合工程
Ｂ      固化工程
Ｃ      粉砕工程
Ｄ      ふるい工程
Ｐ１    花壇
Ｐ２    中央分離帯
Ｐ３    公園の緑地帯
Ｔ      樹木
【図１】
2019110888.tif 000003
【図２】
2019110888.tif 000004
【図３】
2019110888.tif 000005
【図４】
2019110888.tif 000006